(57)【要約】本発明は、上張り板（１）及び下張り床上に構築すべき支持構造体を持つ二重床構造であって、支持構造上で上張り板（１）が、縁面を互いに突き合わされて、下張り床から間隔をおいて敷設可能であるものに関する。本発明によれば、支持構造体が支持横桁（３，４）を含み、これらの横桁（３，４）が継ぎ目（９）の下において上張り板（１）の間で継ぎ目（９）に沿って延び、上張り板（１）及び支持横桁（３，４）が、継ぎ目（９）を形成する上張り板（１）の縁面を水平に押付けながら支持横桁（３，４）上へ上張り板（１）を垂直に取付ける装置（１０，１６）を含んでいる。
2013543939.tif 000002
【特許請求の範囲】
【請求項１】
上張り板（１）及び下張り床上に構築すべき支持構造体を持つ二重床構造であって、支持構造体上で上張り板（１）が、縁面を互いに突き合わされて、下張り床から間隔をおいて敷設可能であるものにおいて、支持構造体が支持横桁（３，４）を含み、これらの横桁（３，４）が継ぎ目（９）の下において上張り板（１）の間で継ぎ目（９）に沿って延び、上張り板（１）及び支持横桁（３，４）が、継ぎ目（９）を形成する上張り板（１）の縁面を水平に押付けながら支持横桁（３，４）上へ上張り板（１）を垂直に取付ける装置（１０，１６）を含んでいることを特徴とする、二重床構造。
【請求項２】
支持横桁（３，４）が、関係する継ぎ目（９）の下に延びる縦溝（４０）を持ち、上張り板（１）の縁面に形成されるかぎ脚辺（１０）が縦溝（４０）へ差込み可能であることを特徴とする、請求項１に記載の二重床構造。
【請求項３】
上張り板（１）が、支持横桁（３，４）にはまりながら支持横桁（３，４）上へ取付け可能であることを特徴とする、請求項１又は２に記載の二重床構造。
【請求項４】
縦溝が、材料において他の支持横桁（３，４）とは異なる、特にアルミニウム又はプラスチックから成るＵ異形材（１６）により形成されていることを特徴とする、請求項２又は３に記載の二重床構造。
【請求項５】
Ｕ異形材（１６）が、Ｕ脚辺の内側にそれぞれ１つの突起（１９）特に係止突起を持っていることを特徴とする、請求項４に記載の二重床構造。
【請求項６】
上張り板を支持横桁（３，４）上へ垂直に取付ける装置が、支持層（５）と装飾層（６）との間で発泡されるか又は吹付けられる上張り板（１）の中間層（１７）に形成されていることを特徴とする、請求項１〜５の１つに記載の二重床構造。
【請求項７】
支持構造体が、上張り板（１）の隅の下に設けられて支持横桁（３，４）を受入れる支柱素子（２）を含んでいることを特徴とする、請求項１〜６の１つに記載の二重床構造。
【請求項８】
支柱素子（２）が、複数の支柱素子（２）にわたって連続して敷設される支持横桁（３）を受入れるための座なるべく縁切込み（１４）を含んでいることを特徴とする、請求項７に記載の二重床構造。
【請求項９】
支持構造体が、複数の支柱素子（２）にわたって連続して敷設される支持横桁（３）の間でそれに対して直角に延びる支持横桁（４）を含んでいることを特徴とする、請求項８に記載の二重床構造。
【請求項１０】
連続して敷設される支持横桁（３）の間に延びる支持横桁（４）は、支柱素子（２）に掛けることができることを特徴とする、請求項９に記載の二重床構造。
【請求項１１】
支柱素子（２）が、下張り床上に支持するための調節可能な３点支え又は４点支えを含んでいることを特徴とする、請求項１〜１０の１つに記載の二重床構造。
【請求項１２】
３点支え又は４点支えが、敷設された上張り板（１）を通る遠隔作用により調節可能であることを特徴とする、請求項１１に記載の二重床構造。
【請求項１３】
支柱素子（２）が、１つの側面又は互いに対向する２つの側面で開く直方体として構成されていることを特徴とする、請求項７〜１２の１つに記載の二重床構造。
【請求項１４】
互いに対向する直方体壁（１１）が、自由上縁に縁凹所特に座を形成する縁切込み（１４）を持っていることを特徴とする、請求項１３に記載の二重床構造。
【請求項１５】
支持横桁（３，４）が、支柱素子（２）へ向かう長手方向の移動を防止するストッパ特に支柱素子（２）に掛けるためのスリット（２１）を含んでいることを特徴とする、請求項１〜１４の１つに記載の二重床構造。
【請求項１６】
ストッパ特にスリットが、上張り板（１）との結合により支持横桁を調節するための遊隙を与えることを特徴とする、請求項１５に記載の二重床構造。
【請求項１７】
上張り板の間の縁側継ぎ目が第１の密封面を形成し、少なくとも１つの別の密封面が、囲繞する係止突起及び係止凹所（２２，２３）により、又は下方に対して閉じられかつ継ぎ目の下に延びる差込み溝により形成されていることを特徴とする、請求項１〜１６の１つに記載の二重床構造。
【請求項１８】
かぎ腕（１０）及び支持横桁（３，４）が伝導性であり、特にかぎ腕（１０）に接触する支持横桁（３，４）の部分が伝導性であり、例えば銅から成っていることを特徴とする、請求項２〜１７の１つに記載の二重床構造。
【発明の詳細な説明】
【技術分野】
【０００１】  本発明は、上張り板及び下張り床上に構築すべき支持構造体を持つ二重床構造であって、支持構造体上で上張り板が、縁面を互いに突き合わされて、下張り床から間隔をおいて敷設可能であるものに関する。
【背景技術】
【０００２】  欧州特許出願公開第１６２７３３号明細書から、僅かな作業費用で敷設可能な床上張りが公知であり、剛性の下部支持体層とたとえばタイルにより形成される上部装飾層を持っている。支持層及び装飾層には中間層が発泡付着されるか又は吹付けられている。中間層は縁枠及び上張り板の縁側結合装置へ一体に移行し、縁枠と結合装置は中間層と同時に製造されている。
【発明の概要】
【発明が解決しようとする課題】
【０００３】  本発明の基礎になっている課題は、僅かな作業費用で製造され、高度の液密性及び気密性を持ちかつ上張り板を速やかに交換できる、最初にあげた種類の新しい二重床構造を提供することである。
【課題を解決するための手段】
【０００４】  この課題を解決するため本発明による二重床構造は、支持構造体が支持横桁を含み、これらの横桁が継ぎ目の下において上張り板の間で継ぎ目に沿って延び、上張り板及び支持横桁が、継ぎ目を形成する上張り板の縁面を水平に押付けながら支持横桁上へ上張り板を垂直に取付ける装置を含んでいることを特徴としている。【０００５】  相互結合の際及び解体の際、上張り板は有利に垂直にのみ動かされ、相互結合のため複雑な水平運動が不要になる。各上張り板は必要な場合面結合体から容易に取出され、例えば統合されたコンセントを持つ上張り板と交換される。上張り板相互の水平な押付けは、上張り板の密封を行う。【０００６】  本発明の好ましい実施形態では、支持横桁が、関係する継ぎ目の下に延びる縦溝を持ち、上張り板の縁面に形成されるかぎ脚辺が縦溝へ差込み可能である。差込みの際生じる横力は上張り板を縁面で圧縮し、それに上張りの安定化及び付加的な密封が伴う。【０００７】  上張り板が、支持横桁にはまりながら支持横桁上へ取付け可能であるのがよい。【０００８】  本発明の有利な構成では、支持横桁が支持横桁とは材料の異なりかつ縦溝を形成するＵ異形材を持っている。このＵ異形材は例えばアルミニウム又はプラスチックから高い精度で製造され、支持横桁の残りは、例えば一層大きい製造公差を持つ鋼異形材特に鋼製Ｕ異形材により形成することができる。【０００９】  他の支持横桁に係止するための係止脚辺を外側に設けることができる第１のＵ異形材が、Ｕ脚辺の内側にそれぞれ１つの突起特にかぎ脚辺がはまる係止突起を持っていると有利である。【００１０】  本発明の別の構成では、上張り板を支持横桁上へ垂直に取付ける装置が、支持層と装飾層との間で発泡されるか又は吹付けられる上張り板の中間層に形成されている。この中間層は例えば発泡ポリウレタンから成っていてもよい。【００１１】  縦溝を形成するＵ異形材が、水平な押圧力を受けて縁面で互いに突き合わされる上張り板により、かつ中間層を介して上張り板の間に形成される溝・キー結合部により、かつ中間層を介して上張り板とＵ異形材との間に形成される溝・キー結合部により、いわば第３の密封面を示し、Ｕ異形材が下方に対して閉鎖されている。【００１２】  本発明の実施形態では、支持構造体が、上張り板の隅の下に設けられて支持横桁を受入れる支柱素子を含んでいる。【００１３】  これらの支柱素子が、複数の支柱素子にわたって連続して敷設される支持横桁を受入れるための座なるべく縁切込みを含んでいてもよい。【００１４】  連続して敷設される支持横桁の間に延びる支持横桁は、支柱素子に掛けることができる。【００１５】  本発明の別の構成では、支柱素子が、下張り床上に支持するための調節可能な３点支え又は４点支えを含んでいる。上端に工具用係合開口を持つ支柱基部を下からスリーブへねじ込まれているスリーブへ、上から工具を導入することによって、支柱素子の高さ及び傾斜を変化しながら、例えば上からの操作によって、調節を行うことができる。【００１６】  別の実施形態では、３点支え又は４点支えが、敷設された上張り板を通る遠隔作用例えば磁石の作用により調節可能である。例えば磁石結合を介して外部から動かされる伝���装置を、高さ調節のために利用することができる。敷設の完了した床張りの再調節はこのように可能である。しかし支持構造体は、上張り板の敷設前に正確に調節されるのがよい。【００１７】  調節は、例えば上張り板の間の継ぎ目の交差点に設けられる１つのねじのみによっても可能である。回転工具用の差込み開口は、調節のため取外し可能な蓋により閉鎖される。このようにしても、上張り板の除去なしに、床張りの再調節を行うことができる。【００１８】  支柱素子が、１つの側面又は互いに対向する２つの側面で開く直方体として構成され、互いに対向する直方体壁が、自由上縁に縁凹所特に上記の座又は支持横桁を掛ける装置を形成する縁切込みを持っているのがよい。【００１９】  垂直な支柱素子は容易にまず単独で立てられる。それからこれらの支柱素子へ、複数の支柱素子にわたって連続して水平に向けられる支持横桁が差込まれる。ストッパ特に切込みが、支柱素子の正確な位置を確定することができる。その代わりに、支持横桁が支柱素子の位置のための標識を持つことができる。こうして形成される２つの縦材の間に、それに対して直角で２つの縦材の間で連結材を形成する支持横桁を、支柱素子に掛けることができる。こうして位置の正確な正方形受入れ枠が生じて、係止素子を備えた上張り板を収容し、互いに固定する。【００２０】  特に係止結合部に運動遊隙が存在すると、床上張りを自己調節しながら、上張り板自体も固定のために役立つことができる。その場合位置の正確な上張り板は、周囲にわたって支持構造を調節し、支持材素子を正確な位置へもたらす。【００２１】  連続して敷設される支持横桁の間に延びる短い方の支持横桁は、その端部に支柱素子を掛けるためのスリットを持つことができる。【００２２】  実施例及びこの実施例に関係する添付図面により、本発明を以下に説明する。
【図面の簡単な説明】
【００２３】
【図１】  本発明による二重床構造を平面図で示す。
【図２】  図１の二重床構造の支持構造体の支柱素子を斜視図で示す。
【図３】  図１の二重床構造の支持構造体の一部を平面図で示す。
【図４】  図１の二重床構造の支持構造体の一部を側面図で示す。
【図５】  図１の支持構造体の支柱素子を側面図で示す。
【図６】  図１の二重床構造の２つの上張り板の間の継ぎ目を説明する図を示す。
【図７】  図１の二重床構造の２つの上張り板の間の継ぎ目を説明する図を示す。
【図８】  ２つの上張り板の継ぎ目の別の実施例を示す。
【図９】  磁気継手を介して調節可能な別の支柱素子を示す。
【図１０】  磁気継手を介して調節可能な別の支柱素子を示す。
【図１１】  二重床構造の支持横桁の別の実施例を断面図で示す。
【図１２】  二重床構造の支持横桁の別の実施例を断面図で示す。
【図１３】  二重床構造の支持横桁の別の実施例を断面図で示す。
【図１４】  本発明による舞台床の延長された支柱素子の間の横補強部を示す。
【図１５】  舞台床の支柱素子にある図１４の横補強部を取付けるための早固定装置を示す。
【発明を実施するための形態】
【００２４】  二重床構造は、図示した実施例では、縁面を互いに突合わせて支持構造体上に敷設されている正方形の上張り板１を含んでいる。しかし場合によってはかけられる連結材を省略して、長方形の上張り板を使用することもできる。下部床張り上に立てられる支持構造体は、互いに突合わされる上張り板１の隅の下にそれぞれ設けられる支柱素子２を含んでいる。
【００２５】  支柱素子２上に、互いに直角な支持横桁３及び４が設けられ、そのうち支持横桁３は複数の支柱素子２を越えて延び、支持横桁４は２つのこのような支持横桁３と２つの支柱素子２との間にのみ延びている。
【００２６】  図６及び７からわかるように、上張り板１は複数の層、即ち剛性支持体層５、装飾層６、及び支持体層５及び装飾層６に発泡されるか又は吹付けられる中間層７から成っている。上張り板に安定性を与える支持体層５は、なるべくリサイクリング材料又は不燃性又はその他の材料（例えば石こう繊維板等）から製造されている。装飾層は、例えばフリース又は装飾的な表面を持つ他の材料を持っていてもよい。発泡されるか又は吹付けられる中間層７はなるべく発泡ポリウレタンから成っている。
【００２７】  中間層７は、上張り板１を囲繞する縁枠８へ一体に移行し、この縁枠がそれぞれ隣接する上張り板の縁枠と共に継ぎ目を形成している。更に中間層７と一体にがぎ脚辺１０が結合されている。かぎ脚辺１０及び縁枠８は、中間層７と同時に発泡又は吹付けにより製造されている。しかし既製の結合素子（例えば押出し成形備品）を代わりに一緒に発泡させることもできる。囲繞する縁枠８とは異なり、かぎ脚辺１０は、上張り板を囲繞するのではなく、板の隅の近くで中断されている。
【００２８】  支柱素子２は、大体において正方形の水平断面及び４つの側壁１１を持ちかつ対向する側で開いた中空の直方体として製造されている。側壁１１は、隅の所で、雌ねじを持つ垂直なスリーブ１２へ移行している。スリーブ１２へ支柱脚１３がねじ込まれている。支柱脚１３のボルトは、上端に、スリーブ１２へ上から導入可能な回転工具がはまる凹所を持っている。支柱素子の本体を連続引抜き部品として製造する際、前記の雌ねじが押込みスリーブにより形成される。
【００２９】  各側壁１１は上縁に２つの縁切込みを持っている。
【００３０】  連続する支持横桁３及び短い方の支持横桁４は、図示した例では、それぞれ鋼製Ｕ異形材１５と、例えばアルミニウム又はプラスチック製のＵ異形材１６とから成っている。鋼製異形材１５の底辺にある凹所１７は、底辺の外側に突起１８を持つ異形材１６を受入れている。別の突起１９が、異形材１６の内側でＵ脚辺の端部に形成されている。この突起は、かぎ脚辺１０にある凹所２０へはまる係止突起である。係止突起は第２の密封面を形成する。
【００３１】  異形材１５，１６は、Ｕ形断面とは異なるように形成でき、そのため前記の材料とは異なる材料が考慮される。
【００３２】  支持横桁３及び支持横桁４は、Ｕ異形材１５の両脚辺に縁切込み２１を持っている。
【００３３】  前述した部品から二重床構造を製造する際、まず支柱素子２が、上張り板１の互いに突合わされる隅に相当する位置で、地上に設けられる。それから連続する支持横桁３の敷設が行われ、その鋼異形材１５のＵ脚辺が支柱素子２の側壁１１にある縁切込み１４へはまる。Ｕ脚辺にあるスリット２１は、支持横桁３，４の正確な配置を行う。支持横桁３及び／又は４にあるスリット２１の代わりに、支持構造体の正確な敷設を容易にする標識を設けることもでき、この標識が支持横桁３及び／又は４の長手方向移動によって公差補償も可能にする。上張り板の寸法に合わせて裁断される切込み２１又は支柱素子２上の支持横桁３，４を水平に規定するその他のストッパなしでは、上張り板の異なる寸法への適合が不定に行われることがある。場合によっては支持横桁４のみを合わせるべきである。
【００３４】  さて支持横桁３，４の水平整列の際、支柱素子２の調節可能な支柱脚１３が、回転工具によるスリーブ１２への多いか少ないねじ込みにより上から調節されることによって、支持構造体が調節可能なので、各支柱素子２が傾かないように地面に立つ。
【００３５】  続いて上張り板１が取付けられ、そのかぎ脚辺１０が、例えばアルミニウム異形材１６により形成される溝へ差込まれ、その際上張り板５が互いに押付けられて、継ぎ目９を形成する。
【００３６】  最後に上張り板が垂直な押圧力を受けて差込まれる。上張り板の寸法に応じて設けられる切込みは、支持横桁がその位置で囲繞して上張り板の最高に正確なかぎ素子に追従するように、遊隙を持つことができる。上張り板により形成される上張りは、システム全体の正確な調節を水平に行う。
【００３７】  支柱素子は、上張りにより例えば舞台の床が形成可能であるような高さを持つこともできる。このため例えばねじ止めにより、支持横桁と支柱素子との間の一層固定的な連結を行うことができる。
【００３８】  その代わりに、特に一層大きい高さの場合、横補強、対角線結合等を行うことができる。
【００３９】  さて図８が参照され、そこには二重床上張り被覆の別の実施例が示されている。同じか又は同じ作用をする部分は、先の実施例におけるのと同じ符号で示され、関係する数字に文字ａが付けられている。
【００４０】  図８の実施例は、前の実施例とは特に次の点で相違している。即ち上張り板１ａの互いに対向する縁枠８ａに別の係止突起２２及び係止凹所２３が設けられている。
【００４１】  押圧力を受けて互いに突合わされる縁枠８ａは、第１の密封面を形成している。二重床上張りのそれ以上の密封を、係止凹所２３にはまる係止突起２２が行う。最後に縁枠８ａの差込み突起１０ａがはまる下方の閉じたＵ異形材１６が、第３の密封障壁として下方へ液体を通さない。
【００４２】  図９及び１０には、基本形状が図２に示す支柱素子２に一致する下の部分２５を持つ支柱素子２ｂが示されている。支柱脚１３に相当する支柱脚は図９及び１０には示されてない。
【００４３】  ４つの垂直なスリーブ１２ｂの各々の上端に、ねじブシュ２６が回転しないように差込まれている。
【００４４】  支柱素子２ｂは、下の部分２５のほかに上の部分２７を持ち、この上の部分は水平断面を下の部分２５と同様に形成され、その上縁に支持横桁を掛けるための（図示しない）切込みが形成されている。
【００４５】  下の部分２５上へ取付けることができる中間板２８上に、歯車２９が回転可能に支持され、この歯車から軸線方向に磁石連結装置３０が突出している。
【００４６】  歯車２９は、ねじボルト３２が回転しないように貫通する中間板２８上に回転可能に支持される４つの歯車３１とかみ合っている。各ねじボルト３２はねじブシュ２６の１つにはまっている。
【００４７】  図１０に示す磁石回転工具３３により、上張り板１ｂの敷設後に、支柱素子２ｂの上の部分２７の高さ調節を行うことができる。磁石回転工具３３により磁石連結装置３０を回すと、歯車２９が４つの歯車３１を駆動するので、４つのねじボルト３２が一緒に回転し、上の部分２７を持上げながらねじブシュ２６から出る。左／右ねじにより、両方向における作用が可能である。
【００４８】  図示した実施例とは異なり、ねじブシュを上の部分２７にも設けるか又は上の部分のみに設けるか、又は中間板２８に回転しないように結合することができる。これが右ねじと左ねじの適当な組合わせを必要とすることは明らかである。
【００４９】  前述した実施例とは異なり、支持横桁３，４を１片で例えば曲げられる鋼板から製造することができる。図１１〜１３はこのような支持横桁の異なる実施例を断面図で示す。支持横桁はそれぞれ１つの縦溝４０を形成し、上張り板の縁面に形成されるかぎ脚辺をこの縦溝へ差込み可能である。
【００５０】  更に上述した２部分支持横桁３，４の異形材は、アルミニウムから製造される代わりに、一層よく導電可能な銅から例えば連続引抜きにより製造される。特にこのような異形材は、導電可能な上張り板に結合して、上張りの電気を導出するのに有利に使用することができる。異形材１６の縦溝へはまって継ぎ目材料と一体に結合されるかぎ脚辺は、例えば導電可能なポリウレタンから形成される。その場合異形材１６を介して所定の漏れ電流が流れることができる。
【００５１】  （他の部分を示してない）舞台床の延長される支柱素子２ａ及び２ａ′の間の図１４に示す横補強装置４１は、図１５に示す早固定装置により、それぞれ４２の所で取付けられる。
【００５２】  早固定装置は外側管４３及び外側管４３内に案内される内側管４４を含み、内側管４４は一端で締付け頭部４５に結合されている。外側管の凹所４６内に４７の所で回転可能に支持される湾曲レバー４８は、偏心頭部４９で内側管４４にある凹所５０へはまっている。湾曲レバー４８を矢印５１の方向に揺動することにより、支柱素子２ａ又は２ａ′の壁５２に係合する締付け頭部４５が、矢印５４の方向へ動かされ、壁５２が外側管４３の端部と締付け頭部４５との間に締付けられる。
【００５３】  ねじ締めにより長手方向に移動可能でこうして締付けを行う構造も同様に可能である。
【図１】
2013543939.tif 000003
【図２】
2013543939.tif 000004
【図３】
2013543939.tif 000005
【図４】
2013543939.tif 000006
【図５】
2013543939.tif 000007
【図６】
2013543939.tif 000008
【図７】
2013543939.tif 000009
【図８】
2013543939.tif 000010
【図９】
2013543939.tif 000011
【図１０】
2013543939.tif 000012
【図１１】
2013543939.tif 000013
【図１２】
2013543939.tif 000014
【図１３】
2013543939.tif 000015
【図１４】
2013543939.tif 000016
【図１５】
2013543939.tif 000017
【国際調査報告】
2013543939.tif 000018
2013543939.tif 000019
2013543939.tif 000020
2013543939.tif 000021
2013543939.tif 000022
2013543939.tif 000023